(57)【要約】【課題】本発明は、圧迫体本体の外周面からの連結軸の突出高さを低く抑えることができる圧迫体の提供を目的とする。【解決手段】圧迫体本体２と、空気給排用チューブ３とを備える。空気給排用チューブ３は、その一端側に、連通孔３５を有する連結軸３３を備えている。圧迫体本体２は、筒状態の外周面側に、連結軸３３を回動自在に保持した連結軸保持部２５ｃを備えている。又、連結軸保持部２５ｃは、連結軸３３の軸心Ｏを、筒状態の圧迫体本体２の径方向及び軸方向に略直交する方向に沿わすとともに、その軸心Ｏ回りに連結軸３３を回動させ得るようにされている。【選択図】図３
2010279464.tif 000002
【特許請求の範囲】
【請求項１】
使用に際し腕に装着されて筒状態を呈する圧迫体本体に、空気給排用チューブの一端側を回動自在に連結することによって、その圧迫体本体に設けられた阻血用の空気袋と空気給排用チューブとを連通させるとともに、空気給排用チューブの空気袋からの導出方向を変え得るようにした圧迫体であって、
前記空気給排用チューブは、その一端側に、連通孔を有する連結軸を備え、
前記圧迫体本体は、前記筒状態における外周面側に、前記連結軸を回動自在に保持した連結軸保持部を備え、
前記連結軸保持部は、前記連結軸の軸心を前記筒状態の圧迫体本体の径方向及び軸方向に略直交する方向に沿わすとともに、その軸心回りに前記連結軸を回動させ得るように構成されていることを特徴とする圧迫体。
【請求項２】
前記圧迫体は、前記連結軸保持部と連結軸との間から空気が漏れるのを防止する空気漏れ防止手段を、更に備えていることを特徴とする請求項１記載の圧迫体。
【請求項３】
前記空気給排用チューブは、チューブ本体と、そのチューブ本体と圧迫体本体とを連結した連結部材とを備え、
前記連結部材は、その一端側と他端側との夫々の軸方向が互いに略直交したＬ字状を呈しているとともに、その他端側に、チューブ本体の一端側が連結され、
前記連結軸は、前記連結部材の一端側に形成されることにより、前記連結軸保持部に保持された連結軸が回動操作されるに伴い、前記チューブ本体の導出方向が筒状態の圧迫体本体の軸方向の一方向側を向く第１方向向きと他方向側を向く第２方向向きとに変えられ、
前記圧迫体は、前記圧迫体本体と空気給排用チューブとを係脱自在に係止する係止手段を、更に備え、
前記係止手段は、前記第１方向向きと前記第２方向向きとの夫々の状態になった空気給排用チューブと前記圧迫体本体とを係止できるように構成されていることを特徴とする請求項１又は２記載の圧迫体。
【請求項４】
前記係止手段は、前記筒状態の圧迫体本体における前記連結部材を挟んだ軸方向の両側夫々に設けられた係止凹部から構成され、
係止凹部は、夫々、チューブ本体の外周の一部を係脱自在に係止可能に構成されていることを特徴とする請求項３記載の圧迫体。
【請求項５】
前記係止手段は、前記筒状態の圧迫体本体における前記連結部材を挟んだ軸方向の両側夫々に設けられた第１係止部と、前記空気給排用チューブに設けられ前記第１係止部と係脱自在に係止する第２係止部とから構成されていることを特徴とする請求項３記載の圧迫体。
【請求項６】
前記第１係止部と第２係止部とのいずれか一方は、磁石から構成され、前記いずれか他方は、前記磁石に吸着されるものから構成されていることを特徴とする請求項５記載の圧迫体。
【発明の詳細な説明】
【技術分野】
【０００１】
本発明は、血圧測定などに際して身体の腕における上腕或いは手首の外周に装着されて阻血を行なう圧迫体に関するものである。
【背景技術】
【０００２】
従来から、血圧測定に際して身体の腕における上腕或いは手首の外周に装着されて阻血を行なう圧迫体は、広く知られている。この圧迫体として、例えば特許文献１に提案されたものがある。このものは、手首の外周に装着されて筒状態で使用され内部に空気袋を有する圧迫体本体（カフ本体）と、その圧迫体本体の空気袋に連通するように連結されたコネクタと、このコネクタに設けられた連結軸保持部に対し回動可能に連結する連結軸（接続管）とからなる。又、コネクタの連結軸保持部は、その軸心が圧迫体本体の径方向に延ばされ、連結軸は、その連結軸保持部に入れられることにより、連結軸の軸心が連結軸保持部の軸心に一致するとともに、その軸心周りに回動するようになっている。このようにして、左手首又は右手首の挿入に際し、連結軸に連結された空気給排用チューブ（送気チューブ）の空気袋からの導出方向（空気給排用チューブの連結軸からの突出方向）を邪魔にならない方向へ回動させ得るようにしたものである。
【先行技術文献】
【特許文献】
【０００３】
【特許文献１】特開平０５−３１７２７３号公報
【発明の概要】
【発明が解決しようとする課題】
【０００４】
しかしながら、特許文献１においては、上記のように、コネクタの連結軸保持部を、その軸心が圧迫体本体の径方向に沿うように形成し、連結軸を、その連結軸保持部に入れて連結軸の軸心を連結軸保持部の軸心に一致させるとともに、その軸心周りに回動するようにしている。
【０００５】
そのため、圧迫体本体の外周面からの連結軸の突出方向が圧迫体本体の径方向になり、圧迫体本体の外周面からの連結軸の突出高さが高くなってしまう。その結果、嵩高いものになってしまうという問題点がある。
【０００６】
本発明は、圧迫体本体の外周面からの連結軸の突出高さを低く抑えることができる圧迫体の提供を目的とする。
【課題を解決するための手段】
【０００７】
上記課題を解決するため、請求項１の発明は、使用に際し腕に装着されて筒状態を呈する圧迫体本体に、空気給排用チューブの一端側を回動自在に連結することによって、その圧迫体本体に設けられた阻血用の空気袋と空気給排用チューブとを連通させるとともに、空気給排用チューブの空気袋からの導出方向を変え得るようにした圧迫体であって、前記空気給排用チューブは、その一端側に、連通孔を有する連結軸を備え、前記圧迫体本体は、前記筒状態における外周面側に、前記連結軸を回動自在に保持した連結軸保持部を備え、前記連結軸保持部は、前記連結軸の軸心を前記筒状態の圧迫体本体の径方向及び軸方向に略直交する方向に沿わすとともに、その軸心回りに前記連結軸を回動させ得るように構成されていることを特徴とする圧迫体である。
【０００８】
請求項２のように、前記圧迫体は、前記連結軸保持部と連結軸との間から空気が漏れるのを防止する空気漏れ防止手段を、更に備えていることが好ましい。
【０００９】
請求項３のように、前記空気給排用チューブは、チューブ本体と、そのチューブ本体と圧迫体本体とを連結した連結部材とを備え、前記連結部材は、その一端側と他端側との夫々の軸方向が互いに略直交したＬ字状を呈しているとともに、その他端側に、チューブ本体の一端側が連結され、前記連結軸は、前記連結部材の一端側に形成されることにより、前記連結軸保持部に保持された連結軸が回動操作されるに伴い、前記チューブ本体の導出方向が筒状態の圧迫体本体の軸方向の一方向側を向く第１方向向きと他方向側を向く第２方向向きとに変えられ、前記圧迫体は、前記圧迫体本体と空気給排用チューブとを係脱自在に係止する係止手段を、更に備え、前記係止手段は、前記第１方向向きと前記第２方向向きとの夫々の状態になった空気給排用チューブと前記圧迫体本体とを係止できるように構成されていることが好ましい。
【００１０】
請求項４のように、前記係止手段は、前記筒状態の圧迫体本体における前記連結部材を挟んだ軸方向の両側夫々に設けられた係止凹部から構成され、係止凹部は、夫々、チューブ本体の外周の一部を係脱自在に係止可能に構成されていることが好ましい。
【００１１】
請求項５のように、前記係止手段は、前記筒状態の圧迫体本体における前記連結部材を挟んだ軸方向の両側夫々に設けられた第１係止部と、前記空気給排用チューブに設けられ前記第１係止部と係脱自在に係止する第２係止部とから構成されていることが好ましい。
【００１２】
請求項６のように、前記第１係止部と第２係止部とのいずれか一方は、磁石から構成され、前記いずれか他方は、前記磁石に吸着されるものから構成されていることが好ましい。
【発明の効果】
【００１３】
本発明の請求項１によれば、圧迫体本体は、筒状態における外周面側に、連結軸を回動自在に保持した連結軸保持部を備える。又、連結軸保持部は、連結軸の軸心を筒状態の圧迫体本体の径方向及び軸方向に略直交する方向に沿わすとともに、その軸心回りに前記連結軸を回動させ得るように構成されている。
【００１４】
これにより、圧迫体本体の外周面からの連結軸の突出方向を、筒状態の圧迫体本体における径方向に略直交する方向にできる。従って、圧迫体本体の外周面からの連結軸の突出高さを、従来のように圧迫体本体の外周面からの連結軸の突出方向が圧迫体本体の径方向のものに較べて低いものにでき、圧迫体をコンパクトなものにできる。
【００１５】
請求項２によれば、圧迫体は、連結軸保持部と連結軸との間から空気が漏れるのを防止する空気漏れ防止手段を、更に備えている。
【００１６】
これにより、連結軸保持部と連結軸との間隙からの空気の漏れを防止できる。
【００１７】
請求項３によれば、チューブ本体の導出方向が筒状態の圧迫体本体の軸方向の一方向側を向く第１方向向きと他方向側を向く第２方向向きとの夫々の状態になった空気給排用チューブと、圧迫体本体とを係止する係止手段を備えている。
【００１８】
これにより、例えば使用に際し、空気給排用チューブに力がかかった場合でも、連結軸保持部と空気給排用チューブの連結軸との連結部にかかる負荷を抑えることができ、両者の連結部から空気を漏れ難くできる。
【００１９】
請求項４によれば、係止手段は、筒状態の圧迫体本体における連結部材の軸方向の両側夫々に設けられた係止部から構成される。又、係止部は、夫々、チューブ本体の外周の一部を係脱自在に係止する係止凹部を備えている。
【００２０】
これにより、チューブ本体の外周の一部を容易に係脱できる。又、係止凹部を圧迫体本体にだけ設ければ良く、係止手段を簡単な構成にでき、係止手段を低コストで製作できる。
【００２１】
請求項５及び６によれば、圧迫体本体に対して空気給排用チューブを容易に係脱できる。
【図面の簡単な説明】
【００２２】
【図１】本発明の一実施の形態の圧迫体の一部を省略した斜視図である。
【図２】係止凹部の拡大斜視図である。
【図３】圧迫体本体と空気給排用チューブとの連結部の要部の拡大断面図である。
【図４】図１の状態から圧迫体本体の軸方向の向きを１８０°変えるとともに、空気給排用チューブを回動して導出方向を１８０°変えた状態の圧迫体の一部を省略した斜視図である。
【図５】係止手段の他の実施形態の平面図である。
【図６】係止手段の更に他の実施形態の平面図である。
【発明を実施するための形態】
【００２３】
以下、本発明を実施するための最良の形態について、図面を参照しながら詳細に説明する。図１は、本発明の一実施の形態の圧迫体の一部を省略した斜視図、図２は、係止凹部の拡大斜視図、図３は、圧迫体本体と空気給排用チューブとの連結部の要部の拡大断面図である。
【００２４】
本発明の圧迫体１は、図１に示すように圧迫体本体２と、空気給排用チューブ３と、圧迫体本体２と空気給排用チューブ３とを係脱自在に係止する係止手段とを備えている。圧迫体本体２は、この実施形態では、上腕に巻かれて、図１に示すように筒状態を呈した状態で使用されるようになっている。以下、筒状態になった圧迫体本体２を基準にして説明する。
【００２５】
この圧迫体本体２は、外布２１ａ、２１ｂと、外布２１ａ、２１ｂの間に配設された空気収納可能な阻血用の空気袋２２（図３に図示）と、その空気袋２２と空気給排用チューブ３とを連結したコネクター２３とを備えている。
【００２６】
外布２１ａ、２１ｂは、展開状態で所定幅の帯状を呈する表裏一対のものから構成されており、表側の外布２１ａが外周側に、裏側の外布２１ｂが内周側に配設されるようにして上腕に巻かれる。
【００２７】
表側の外布２１ａの一端側には、第１面ファスナー２４が付設され、裏側の外布２１ａには、第１面ファスナー２４と係脱自在に係止する第２面ファスナー（図示せず）が付設されている。
【００２８】
そして、この第１面ファスナー２４が、例えば圧迫体本体２を上腕に巻きつけられるようにして第２面ファスナーに係止されることにより、圧迫体本体２が上腕に巻きつけられた状態を維持できるようになっている。
【００２９】
コネクター２３は、図３に示すように空気袋２２に連結された袋連結部２０と、袋連結部２０から円筒状に突設され空気給排用チューブ３に連結されたチューブ連結部２５とを備えている。
【００３０】
この実施形態のチューブ連結部２５は、その周壁２５ａに、径方向の外側に突出する円筒体を備え、その筒体の内側に、連結軸保持部２５ｃが設けられている。この連結軸保持部２５ｃは、その軸心が圧迫体本体２の軸方向と略直交しているとともに、圧迫体本体２の径方向とほぼ直交するように形成されている。
【００３１】
又、この実施形態では、図１に示すように、圧迫体本体２には、軸方向の両端側の夫々に、肩案内表示部６１、６２が設けられている。この肩案内表示部６１、６２は、圧迫体本体２を左腕又は右腕に装着して使用する場合に、左肩又は右肩に対する圧迫体本体２の軸方向の向きを表示するものである。
【００３２】
この実施形態の肩案内表示部６１、６２は、図の上向きの矢印と「右肩側」の文字が印刷された右肩案内表示部６１と、図の下向きの矢印と「左肩側」の文字が印刷された左肩案内表示部６２とから構成されている。
【００３３】
空気給排用チューブ３は、弾性を有する長尺状のチューブ本体３１と、チューブ本体３１とコネクター２３とを連結したＬ字状の連結部材３２とを備えている。連結部材３２は、一端から他端に貫通された連通孔３５を備えている。
【００３４】
又、連結部材３２は、その一端側に、コネクター２３に連結された連結軸３３を備え、その他端側に、連結軸３３と互いに軸方向が直交しチューブ本体３１の一端側に連結されたチューブ本体連結部３４を備えている。
【００３５】
連結軸３３は、コネクター２３の連結軸保持部２５ｃに回動自在に挿入されている。これにより、連結軸３３は、空気袋２２と連通可能にコネクター２３に連結される。又、その連結状態で、連結軸３３の軸心Ｏが連結軸保持部２５ｃの軸心に一致し、連結軸３３はその軸心Ｏ回りに回動自在に連結軸保持部２５ｃに保持されている。
【００３６】
又、この実施形態では、連結軸３３の外径が連結軸保持部２５ｃの内径よりもやや大きく設定され、連結軸３３が連結軸保持部２５ｃの内周部に押し入れられるようになっている。
【００３７】
このように構成することにより、連結軸３３が連結軸保持部２５ｃの内周部に押し入れられた後に、連結軸３３の外周と連結軸保持部２５ｃの内周との間に隙間ができ難いようにして空気が漏れ難いようにしている。又、例えば連結軸３３に連結軸保持部２５ｃに対して回動させる力以外の力がかかった場合でも、連結軸３３の外周と連結軸保持部２５ｃの内周との間に隙間ができ難いようにして空気が漏れ難いようにしている。
【００３８】
又、この実施形態では、連結軸保持部２５ｃの内周部に押し入れられた連結軸３３とその連結軸保持部２５ｃとの間に、連結軸保持部２５ｃに対する連結軸３３の回動抵抗を軽減するための回動抵抗軽減手段としてのグリス等の潤滑剤が配設されている。
【００３９】
上記のように、連結軸３３の外径を連結軸保持部２５ｃの内径よりも径大にした場合には、上記外径を上記内径よりも径小にした場合に較べ、連結軸保持部２５ｃに対する連結軸３３の回動の抵抗が大きくなるが、潤滑剤によって、その回動の抵抗を軽減し、連結軸３３が回動し難くなるのを防止している。
【００４０】
更に、この実施形態では、連結軸３３の外周に、合成ゴム製のＯリング５が付設されており、このＯリング５によって、連結軸３３の外周と連結軸保持部２５ｃの内周との間から空気が漏れ難いようになっている。
【００４１】
チューブ本体連結部３４は、チューブ本体３１の一端側に連結されている。これにより、空気給排用チューブ３は、空気袋２２からの導出方向が、図１に示すように圧迫体本体２の軸方向の一方向側（図のＸ方向側）を向いた第１方向向きの状態から、連結軸３３の回動操作に伴って、図４に示すようにその第１方向向きと１８０°の角度をなして軸方向の他方向側（図のＹ方向側）を向いた第２方向向きとに変えることができるようになっている。
【００４２】
尚、チューブ本体連結部３４に連結されたチューブ本体３１の他端側は、図示しないが、エアポンプ等に連結され、空気給排用チューブ３を介して、空気袋２２に空気を供給するとともに、排出できるようになっている。
【００４３】
次に、係止手段について説明する。この実施形態の係止手段は、図１に示すように、筒状態の圧迫体本体２の外周における連結部材２３を挟んだ軸方向の両側夫々に取り付けられた係止凹部４ａ、４ｂから構成されている。
【００４４】
係止凹部４ａ、４ｂは、左腕用係止凹部４ａと、右腕用係止凹部４ｂとを備えている。左腕用係止凹部４ａは、例えば圧迫体本体２を左腕に装着する場合に空気給排用チューブ３のチューブ本体３１を係止し、右腕用係止凹部４ｂは、例えば圧迫体本体２を右腕に装着する場合に空気給排用チューブ３のチューブ本体３１を係止する。
【００４５】
左腕用係止凹部４ａと右腕用係止凹部４ｂとは、同一構成を採っており、以下に、左腕用係止凹部４ａについて説明し、右腕用係止凹部４ｂの説明を省略する。
【００４６】
左腕用係止凹部４ａは、チューブ本体３１の一部を受容する断面円弧状の凹部４１と、凹部４１にチューブ本体３１の一部を出し入れするための開口部４２とを備えている。凹部４１は、その内径がチューブ本体３１の外周径と同じ程度に設定されている。
【００４７】
一方、開口部４２の開口幅は、チューブ本体３１の外周径よりもやや小さく設定されており、チューブ本体３１が開口部４２に押し込まれることによって、チューブ本体３１が凹部４１内に入り、その状態で、チューブ本体３１の弾性によって係止できるようになっている。
【００４８】
次に、本発明の圧迫体１の動作について説明する。まず、左腕に装着して使用する場合は、図１に示すように、左腕用係止凹部４ａにチューブ本体３１を係止した状態にする。
【００４９】
そして、左肩案内表示部６２が手前側になるように圧迫体本体２の軸方向の向きを合わせ、左肩案内表示部６２の表示に従って、左肩案内表示部６２を左肩側にして、圧迫体本体２を左上腕に巻きつけるようにして弛みの無い状態で第１面ファスナー２４と第２面ファスナーとを係止する。
【００５０】
その際、空気給排用チューブ３の導出方向が左手首側になるので、空気給排用チューブ３等が邪魔になることなく装着できる。又、右腕で圧迫体本体２の先端を把持して巻きつけ操作でき、操作を容易に行なうことができる。
【００５１】
この状態から、空気袋２２に空気が供給されて空気袋２２が膨張されると上腕を通る動脈を圧迫して阻血させ、その後、空気袋２２から空気が徐々に排出されて空気袋２２が収縮されることにより、血圧測定を行なうことができる。
【００５２】
又、その測定等に際して、チューブ本体３１に測定者の手等が当たった場合でも、左腕用係止凹部４ａにチューブ本体３１を係止しているため、そのチューブ本体３１にかかった力を左腕用係止凹部４ａが受けることができる。従って、連結軸３３とコネクター２３の連結軸保持部２５ｃとの連結部に負荷がかかり難いものにでき、連結部からの空気漏れを抑えることができる。
【００５３】
また、連結軸保持部２５ｃを上側にして圧迫体本体２を上腕に装着すると、空気給排用チューブ３が垂直面に沿って回動するため、空気給排用チューブ３を手首側に回動すれば空気給排用チューブ３の導出方向を手首側にできる。従って、例えば圧迫体本体２の径方向に沿う軸の周りに回動する従来のものでは、空気給排用チューブ３が水平面に沿って回動するために空気給排用チューブ３を回動操作に際して導出方向が手首側になるように調整しながら行なわなければならないが、そのようなことを防止できる。
【００５４】
しかも、導出方向を手首側にした後は、空気給排用チューブ３に手等が当たった場合でも空気給排用チューブ３が水平方向に回動しないため、導出方向を手首側を向いた状態に維持させ易いものにできる。
【００５５】
一方、例えば図１に示す状態から、異なる測定者が右上腕に装着して使用する場合は、次のようにして行なうことができる。図４に示すように、圧迫体本体２の軸方向の向きを１８０°変え、右肩案内表示部６１が手前側になるようにする。これとともに、左腕用係止凹部４ａからチューブ本体３１を外した後、空気給排用チューブ３の連結軸３３を１８０°回動操作して右腕用係止凹部４ｂに押し込むようにして係止させる。
【００５６】
その後、上記左腕に装着する場合と同様に行なう。この場合においても、導出方向が右手首側になるため、空気給排用チューブ３等が邪魔になることなく右上腕に装着できる。又、左腕で圧迫体本体２の先端を把持して巻きつけ操作でき、操作を容易に行なうことができる。
【００５７】
又、その測定等に際して、チューブ本体３１に測定者の手等が当たった場合でも、右腕用係止凹部４ｂにチューブ本体３１を係止しているため、そのチューブ本体３１にかかった力を右腕用係止凹部４ｂが受けることができる。従って、連結軸３３とコネクター２３の連結軸保持部２５ｃとの連結部に負荷がかかり難いものにでき、連結部からの空気漏れを抑えることができる。
【００５８】
尚、上記実施形態では、係止手段を、圧迫体本体２に取り付けられた係止凹部４ａ、４ｂから構成しているが、この形態のものに限らず、適宜変更できる。
【００５９】
例えば、図５に示すように、係止手段は、圧迫体本体２に設けられた第１係止部１４１と、空気給排用チューブ３に設けられ第１係止部１４１と係脱自在に係止する第２係止部１４２とから構成されたものとする。
【００６０】
より詳しくは、第１係止部１４１は、圧迫体本体２における連結部材２３を挟んだ軸方向の両側夫々に固定されている。第２係止部１４２は、空気給排用チューブ３のチューブ本体３１における第１係止部１４１と対応する位置に固定されている。又、第１係止部１４１と第２係止部１４２との一方は、磁石から構成され、他方は、その一方に吸着されるもの、例えば磁石や鉄製のものから構成されている。
【００６１】
このようにして、空気給排用チューブ３の導出方向が、左腕に装着する場合に手首側を向いた位置（右腕に装着する場合の右肩側を向いた位置）と、一点鎖線で示すように、その位置から１８０度回動して左肩側を向いた位置（右腕に装着する場合の手首側を向いた位置）との２つの位置夫々で係止できるようにしてもよい。
【００６２】
又、係止手段を、第１係止部と第２係止部とから構成する場合に、例えば図６に示すように、第１係止部を、上述の外布２１ａに設けた第１面ファスナー２４とし、第２係止部を、空気給排用チューブ３に取り付けた係止片２４１から構成する。又、係止片２４１の裏表両面に、第１面ファスナー２４に係脱自在に係止する面ファスナーを備えたものとしてもよい。
【００６３】
また、上記実施形態では、空気漏れ防止手段として、連結軸３３の外径を連結軸保持部２５ｃの内径よりもやや大きくするとともに、連結軸３３の外周と連結軸保持部２５ｃの内周との間にＯリング５を付設するようにしているが、この形態のものに限らず、適宜変更できる。
【００６４】
例えば空気漏れ防止手段として、Ｏリング５を付設しないで連結軸３３の外径を連結軸保持部２５ｃの内径よりもやや大きくする。或いは、空気漏れ防止手段として、連結軸３３の外径を連結軸保持部２５ｃの内径よりも小さくして、Ｏリング５を付設する。
【００６５】
又、上記実施形態では、圧迫体本体２を、上腕に巻きつけて装着するように形成しているが、この形態のものに限らず、手首に装着する形態のものでも良く、適宜変更できる。
【符号の説明】
【００６６】
１    圧迫体
２    圧迫体本体
３    空気給排用チューブ
４ａ、４ｂ    係止凹部（係止手段）
２３    コネクター
２５ｃ    連結軸保持部
３３    連結軸
【図１】
2010279464.tif 000003
【図２】
2010279464.tif 000004
【図３】
2010279464.tif 000005
【図４】
2010279464.tif 000006
【図５】
2010279464.tif 000007
【図６】
2010279464.tif 000008